(57)【要約】【課題】  偽造されないキャパシティブデータＩＤでインタネットを検索することで、これらを容易に確認できるインタネット利用による産地偽装防止、免許証など各種証明書偽造使用防止を提供する。【解決手段】  各業界の産地証明書や運転免許証などに対してそれが本物であるかどうかインタネットで確認することのできる偽造されないキャパシティブデータの証明確認書・ＩＤでインタネットから産地などのトレイサビリティができるシステムを構築する。【選択図】      図１
2010108256.tif 000002
【特許請求の範囲】
【請求項１】
各業界の産地証明書や運転免許証などに対してそれが本物であるかどうかインタネットで確認することのできる偽造されない証明確認書・ＩＤでインタネットから産地などのトレイサビリティができるシステムであって、
上記証明確認書・ＩＤの発行は、所轄団体が証明確認書・ＩＤ又は白紙の証明確認書・ＩＤを産地出荷団体に発行し、発行したＩＤと発行先名及び発行先の出荷予定量など必要事項をインタネットのサーバに記録し、
流通過程での確認では、上記所轄団体が最小出荷単位に取り付ける偽造されない証明確認カード、タグ、ＩＤを発行し、該証明確認カード、タグ、ＩＤと発行先名及び発行先の出荷予定量など必要事項をインタネットのサーバに記録し、
上記所轄団体は、免許証など証明書の場合、本物かどうかを詳細に確認してＩＤ付き証明確認書カードを発行し、その内容をインタネットのサーバに記録し、
産地出荷団体は、産地確認のために産地が独自に発行する産地証明書と記入された証明確認書・ＩＤを出荷時に添付し、出荷に基づく上記ＩＤ、出荷元、出荷先、出荷量などは独自のウエブに記録し、
これら各種の出荷団体のウエブは、所轄団体のウエブとリンクすることで荷受団体、最終消費者から、どこからでもウエブで産地の確認ができるように構築し、
産地発行ＩＤ及び流通過程での各出荷団体のＩＤは、最終消費者がウエブ上でその発行キーＩＤを使い産地まで追跡でき、産地確認ができるシステムのキーＩＤとし、免許証など各種証明書の確認は、ＩＤ付き証明確認書カードのＩＤをインタネットで検索することでその内容の確認をすることができるようにしたこと
を特徴とするインタネット利用による産地偽装防止、免許証など各種証明書偽造使用防止システム。
【請求項２】
前記各種証明書偽造使用防止に用いられるＩＤカードは、静電誘電的にデータ列が読み出されるキャパシティブデータカードであって、
複数種類の異なる所定の幅とされ、一方向に離間して形成された複数の電極面と、
前記電極面の間に形成された非電極面とを備え、
前記電極面及び非電極面上に帯電したデータ読み取り用電極が前記一方向又は当該一方向の逆方向に走査された場合に、当該電極面とデータ読み取り用電極との間でコンデンサを形成して、前記電極面の幅に応じた静電誘電的な変化によってデータ列が読み取られるキャパシティブデータカードであることを特徴とする請求項１に記載のインタネット利用による産地偽装防止、免許証など各種証明書偽造使用防止システム。
【発明の詳細な説明】
【技術分野】
【０００１】
本発明は、インタネット利用による産地偽装防止、免許証など各種証明書偽造使用防止システムに係り、特に、各種証明書偽造使用防止に用いられるカードを静電誘電的にデータ列が読み出されるキャパシティブデータカードを用いたことを特徴とするインタネット利用による産地偽装防止、免許証など各種証明書偽造使用防止システムに関する。
【背景技術】
【０００２】
近年、食品の産地偽装事件、偽造運転免許証を用いた携帯電話の購入利用に基づく振込み詐欺事件などが大きな社会問題となっている。
【０００３】
産地偽装事件は、産地からの産地証明書、トレイサビリティ（追跡確認）、シリアルナンバーをつけた産地ラベルの添付などそれなりに対応している（例えば、特許文献１参照）が、産地偽装が後を立たないのが現状である。
【０００４】
また、振込み詐欺団など不正に携帯電話を利用する事件が頻発しており、不正の手段に使われている携帯電話は購入するために本人確認用運転免許証などが必要であるが、不正利用者はこの運転免許証を表面上正しい状態に偽造し、携帯電話を複数購入して振込み詐欺に使われている。
【０００５】
【特許文献１】特開２００８−１９８２１６号公報
【発明の開示】
【発明が解決しようとする課題】
【０００６】
このような問題を解決するためには、産地偽装問題については産地証明書、産地ラベルが偽装されないことが重要であるが、産地をさかのぼって確認できるトレイサビリティ（追跡確認）や出荷シリアルナンバーなどが充分でなく、また、それらの偽造も可能である。従って産地までさかのぼれるトレイサビリティ（追跡確認）、シリアルナンバーが必要であり、これらが偽造されないことが重要である。また、運転免許証の偽造対策は表面上見た目で作られても本物かどうかを確認する手段が必要である。
【０００７】
この発明は、かかる現状に鑑み創案されたものであって、その目的とするところは、偽造されないキャパシティブデータＩＤでインタネットを検索することで、これらを容易に確認できるインタネット利用による産地偽装防止、免許証など各種証明書偽造使用防止を提供しようとするものである。
【０００８】
即ち、上記産地確認や免許証確認はインタネットを使い正しい情報を確認でき、そのためインタネットの確認用のＩＤを発行し、確認用ＩＤなどからインタネットを開き産地などのトレイサビリティ（追跡確認）ができるようにシステム化すると共に、確認用ＩＤは容易に偽造されないものであることが必要である。
【課題を解決するための手段】
【０００９】
上記目的を解決するため、この発明にあっては、各業界の産地証明書や運転免許証などに対してそれが本物であるかどうかインタネットで確認することのできる偽造されない証明確認書・ＩＤでインタネットから産地などのトレイサビリティができるシステムであって、上記証明確認書・ＩＤの発行は、所轄団体が証明確認書・ＩＤ又は白紙の証明確認書・ＩＤを産地出荷団体に発行し、発行したＩＤと発行先名及び発行先の出荷予定量など必要事項をインタネットのサーバに記録し、流通過程での確認では、上記所轄団体が最小出荷単位に取り付ける偽造されない証明確認カード、タグ、ＩＤを発行し、該証明確認カード、タグ、ＩＤと発行先名及び発行先の出荷予定量など必要事項をインタネットのサーバに記録し、上記所轄団体は、免許証など証明書の場合、本物かどうかを詳細に確認してＩＤ付き証明確認書カードを発行し、その内容をインタネットのサーバに記録し、産地出荷団体は、産地確認のために産地が独自に発行する産地証明書と記入された証明確認書・ＩＤを出荷時に添付し、出荷に基づく上記ＩＤ、出荷元、出荷先、出荷量などは独自のウエブに記録し、これら各種の出荷団体のウエブは、所轄団体のウエブとリンクすることで荷受団体、最終消費者から、どこからでもウエブで産地の確認ができるように構築し、産地発行ＩＤ及び流通過程での各出荷団体のＩＤは、最終消費者がウエブ上でその発行キーＩＤを使い産地まで追跡でき、産地確認ができるシステムのキーＩＤとし、免許証など各種証明書の確認は、ＩＤ付き証明確認書カードのＩＤをインタネットで検索することでその内容の確認をすることができるようにしたことを特徴とするものである。
【００１０】
そして、上記各種証明書偽造使用防止に用いられるＩＤカードは、静電誘電的にデータ列が読み出されるキャパシティブデータカードであって、複数種類の異なる所定の幅とされ、一方向に離間して形成された複数の電極面と、  前記電極面の間に形成された非電極面とを備え、前記電極面及び非電極面上に帯電したデータ読み取り用電極が前記一方向又は当該一方向の逆方向に走査された場合に、当該電極面とデータ読み取り用電極との間でコンデンサを形成して、前記電極面の幅に応じた静電誘電的な変化によってデータ列が読み取られるキャパシティブデータカードであることを特徴とするものである。
【発明の効果】
【００１１】
それ故、この発明によれば、免許証や保険証の場合は、発行団体で依頼者の内容を詳細に確認した後、所轄団体のサーバに内容を登録しＩＤ付き証明確認カードを発行するため、先ず偽造はこの段階で排除される。免許証の確認は免許証とＩＤ付き証明確認カードのＩＤからインタネットで内容を確認することができるため、精度の高い本人確認ができる。さらに、確認カードは偽造防止のキャパシティブデータＩＤが付いているため偽造がされない。
【００１２】
また、産地証明の場合は、所轄団体で依頼者の内容確認後、所轄団体のサーバに内容を登録し偽造されないＩＤ付き産地証明確認書又は白紙のＩＤつき産地証明確認書を発効する、同時に必要であれば、ＩＤ付きカード、タグを発行する。これら発行物は偽造防止のキャパシティブデータＩＤがついているため偽造されない。従って出荷商品にこれがある限り産地が正しい商品であることが分かる。
【００１３】
産地業者は、物産の出荷毎に白紙のＩＤ付き産地証明確認書に内容を記入し、更に必要であれば、商品ごとにＩＤ付きタグを商品一品ごとに取り付け、ウエブに登録し出荷する。仲介業者は、ＩＤ付き産地証明確認書のＩＤでインタネットから出荷元を確認することができる。最終荷受人は、産地業者のＩＤ産地証明確認書や仲介業者のＩＤ付き産地証明確認書や出荷タグＩＤなどからをウエブで検索し産地を確認することができるため、出荷業者が産地証明を偽造することはきはめて困難となる。
【００１４】
さらに、所轄団体は、産地偽装や免許証や保険証などの偽造利用を防止の管理することができる。
【発明を実施するための最良の形態】
【００１５】
以下、本発明の実施の形態について図面を参照して説明する。なお、以下の実施の形態は本発明の一例である。このため、本発明は、以下の実施形態に限定されることはなく、この実施の形態以外であっても、本発明に係る技術的思想を逸脱しない範囲であれば、設計等に応じて種々の変更が可能であることは勿論である。
【００１６】
図１は、産地証明確認書及び確認カード・出荷タグの適用例を示している。
各業界の産地証明書や運転免許証などに対してそれが本物であるかどうかインタネットで確認することのできる偽造されない証明確認書・ＩＤを発行する。
【００１７】
証明確認書・ＩＤの発行は、所轄団体である財団法人・証明書確認情報センターが証明確認書・ＩＤ又は白紙の証明確認書・ＩＤを産地出荷団体に発行し、発行したＩＤと発行先名及び発行先の出荷予定量など必要事項をインタネットのサーバに記録する。
【００１８】
また、流通過程（仲介業者）での確認では、出荷単位が産地出荷時の大きな単位から最小出荷単位まで細分化されていくため各々の過程で出荷元が確認できるように、財団法人・証明書確認情報センターは最小出荷単位に取り付ける偽造されない証明確認カード、タグ、ＩＤを発行する。
【００１９】
発行した証明確認カード、タグ、ＩＤと発行先名及び発行先の出荷予定量など必要事項はインタネットのサーバに記録する。
【００２０】
財団法人・証明書確認情報センターは、免許証など証明書の場合には、本物かどうかを詳細に確認してＩＤ付き証明確認書カード（名刺タイプ）を発行し、その内容をインタネットのサーバに記録する。
【００２１】
また、産地出荷団体は、産地確認のために産地が独自に発行する産地証明書と記入された証明確認書・ＩＤを出荷時に添付する。産地出荷団体は概ね独自のウエブを持っているため、出荷に基づく前記ＩＤ、出荷元、出荷先、出荷量などは独自のウエブに記録する。
【００２２】
これら各種の出荷団体のウエブは財団法人・証明書確認情報センターのウエブとリンクすることで荷受団体、最終消費者から、どこからでもウエブで産地の確認ができるようにする。
【００２３】
産地発行ＩＤ及び流通過程での各出荷団体のＩＤは、最終消費者がウエブ上でその発行キーＩＤを使い産地まで追跡でき（トレイサビリティ）、産地確認ができるシステムのキーＩＤとする。
【００２４】
免許証など各種証明書の確認は、ＩＤ付き証明確認書カードのＩＤをインタネットで検索することでその内容の確認をすることができる。
【００２５】
図２は、インターネット利用による産地偽造防止、免許証等の各種証明書偽造使用防止システムの業務例のフローであり、図３は、インターネット利用による産地偽造防止、免許証等の各種証明書偽造使用防止システム例である。
【００２６】
そして、この発明の各種証明書偽造使用防止に用いられるＩＤカードは、静電誘電的にデータ列が読み出されるキャパシティブデータカードは、図４に示すように構成されたキャパシティブデータカード１及びデータ読取装置２に適用される。
【００２７】
キャパシティブデータカード１は、静電誘電的にデータ読取装置２からＩＤコードが読み取られるＩＤコード記録部１０を備えた構成となっており、データ読取装置２は、図４（ａ）に示すように、ペン型形状のセンサペンとなっておりキャパシティブデータカード１のＩＤコード記録部１０の上方で近接されて移動することによってキャパシティブデータカード１に格納されたＩＤコードを読み取る。
【００２８】
また、図４（ｂ）に示すように、データ読取装置２を固定した状態でキャパシティブデータカード１を移動させて、ＩＤコード記録部１０のＩＤコードを読み取っても良い。なお、この実施の形態では、キャパシティブデータカード１に、例えば前記財団法人・証明書確認情報センターや出荷団体等の認証などを行うための識別子であるＩＤコードが記憶されている場合について説明したが、キャパシティブデータカード１には、ＩＤコードの他にあらゆるデータが記憶できるのは勿論である。
【００２９】
このキャパシティブデータカード１は、図５（ａ）に示すように、ＲＦコモン電極２１，Ｇｒｏｕｎｄコモン電極２２上に、複数の長方形の電極面２３と、電導性材料ではない非電極面２４とが交互に配列されて貼り付けられたバーコード状に構成されている。このキャパシティブデータカード１は、後述のデータ読取装置２の電極センサー部３１ａ，３１ｂが帯電した状態で近接されると、電極面２３に電荷が発生し、データ読取装置２のセンサ電極が近接して相対されることによって当該電極面２３の電荷が検知される。また、キャパシティブデータカード１は、図５（ｂ）に示すように、図中上下方向におけるＧｒｏｕｎｄコモン電極２２が無いものであっても良い。尚、図５に示す例では、キャパシヒブデータカード１の電極面２３及び非電極面２４が設けられた構成のみを示しているが、実際には、当該電極面２３及び非電極面２４を合成樹脂材料の保護材などで覆ってカード状にされる。
【００３０】
複数の電極面２３及び非電極面２４は、図６のように幅Ａ，Ｂ，Ｃ，Ｄが異なる所定の幅となるように調整されて配列され、データ列「００」、「０１」、「１０」、「１１」をデータ読取装置２に読み込ませる。
【００３１】
キャパシティブデータカード１は、図７（ａ）に示すように、データ読取装置２の電極センサー部３１ａ，３１ｂが電源３２によって帯電されている時に、電極面２３がデータ読取装置２側に形成させたデータ読取装置２の電極センサー部３１ａ，３１ｂと一体になって始めてコンデンサを有する回路４０を形成させることができるものである。
【００３２】
キャパシティブデータカード１は、抵抗となる電極面２３と、この電極面２３の各端に結線接続させるコンデンサの一部を形成する電極部２５ａ，２５ｂを有し、データ読取装置２は、データ読取装置２の電源３２の各端子に結線接続されるコンデンサの一部を形成する電極センサー部３１ａ，３１ｂを有して、キャパシティブデータカード１が電極センサー部３１ａ，３１ｂに近接されたときに、図示されたように、各電極部間に空気を挟んだ空気コンデンサ４０ａ，４０ｂを有する回路４０が形成される。
【００３３】
このようにして形成させた回路４０では、データ読取装置２の電極センサー部３１ａ，３１ｂが電極面２３に近接した場合に、空気コンデンサ４０ａ，４０ｂを介して電源３２と電極面２３とが導通して電流が流れる状態となり、高いセンサ電圧値としてデータ読取装置２の電圧検出回路（検知手段、図示せず）で検知される。
【００３４】
一方、図７（ｂ）に示すように、データ読取装置２の電極センサー部３１ａ，３１ｂが非電極面２４上に配置された場合、非電極面２４には電流が流れないので、データ読取装置２の電圧検出回路では低い電圧値が検知される。
【００３５】
例えば図８に示すように、幅Ｂの電極面２３、幅Ｄの非電極面２４、幅Ｄの電極面２３の順序でデータ読取装置２が略一定速度で走査した場合、データ読取装置２には、幅Ｂの電極面２３上では高い電圧値が検知され、次に幅Ｄの非電極面２４上では低い電圧値が検知され、次に幅Ｄの電極面２３上では高い電圧値が検知される。これによって、データ読取装置２は、幅Ｂ、Ｄの電極面２３、非電極面２４を通過したことを各電圧値の検知継続時間Ｔ２，Ｔ４，Ｔ４によって判別して、図示しない電圧値を判定する読み取り手段によって、キャパシティブデータカード１からデータ列「０１１１１１」を読み取ることができる。
【００３６】
キャパシティブデータカード１上を略一定速度でデータ読取装置２が通過する場合、図３に示すように、例えば幅Ａの電極面２３及び非電極面２４は、データ「００」としてデータ読取装置２に読み込ませ、幅Ｂの電極面２３及び非電極面２４は、データ「０１」としてデータ読取装置２に読み込ませ、幅Ｃの電極面２３及び非電極面２４は、データ「１０」としてデータ読取装置２に読み込ませ、幅Ｄの電極面２３及び非電極面２４は、データ「１１」としてデータ読取装置２に読み込ませ、４種類のデータをデータ読取装置２に読み込ませる。４種類の幅Ａ，Ｂ，Ｃ，Ｄの電極面２３及び非電極面２４を交互に配列し、データ読取装置２で当該幅方向に順次電極面２３及び非電極面２４を検知させることによって、データ読取装置２で連続したデータ列を読み取らせる。尚、電極面２３及び非電極面２４の４種類の幅は、ユーザがキャパシティブデータカード１を利用した時のキャパシティブデータカード１とデータ読取装置２との相対移動速度を実験等によって判断して、当該相対移動速度における４種類の幅に応じた電圧値変化をデータ読取装置２で区別できるようにしている。
【００３７】
キャパシティブデータカード１には、例えば図６中の左端から右端に順次電極面２３及び非電極面２４が検知される方式でデータ読取装置２にデータ列が読み込まれる場合、左端の電極面２３及び非電極面２４によってスタートビットを読み込ませ、右端の電極面２３及び非電極面２４によってエンドビットを読み込ませるように、電極面２３及び非電極面２４が形成されている。
【００３８】
また、図６中の右端から左端に順次電極面２３及び非電極面２４が検知される方式でデータ読取装置２にデータ列が読み込まれる場合、右端の電極面２３及び非電極面２４によってスタートビットを読み込ませ、左端の電極面２３及び非電極面２４によってエンドビットを読み込ませるように、電極面２３及び非電極面２４が形成されている。すなわち、キャパシヒブデータカード１の左右どちらからでもデータ読取装置２を走査させても、同じデータ読み取り結果を得ることができる。
【００３９】
図６に示す例では、幅Ａの電極面２３及び非電極面２４が６個配列された構成によってスタートビットのデータ列「００００００００００」をデータ読取装置２に読み込ませ、幅Ａの非電極面２４及び幅Ｄの電極面２３が１個配列された構成によってデータ列「００１１」をデータ読取装置２に読み込ませ、以降は、データ列「１０１０」、「００００００００００００」、「０１０１０１」、・・・、「０１」をデータ読取装置２に読み込ませ、左端の幅Ａの電極面２３が２個配列された構成によってエンドビットのデータ列「０１００００００００」をデータ読取装置２に読み込ませる。また、キャパシヒブデータカード１の右端からデータ読取装置２によってデータ読み取りを始める時には、スタートビットのデータ列は「０１００００００００」となり、エンドビットのデータ列は「００００００００００」となる。
【００４０】
このように、キャパシティブデータカード１及びデータ読取装置２は、キャパシティブデータカード１の電極面２３及び非電極面２４とデータ読取装置２の電極センサー部３１ａ，３１ｂとが近接して相対した時間によって、データ読取装置２によってキャパシティブデータカード１に記録されたデータ列を検知でき、スタートビット、エンドビットによってキャパシティブデータカード１に記録されたデータ列の開始、終了をデータ読取装置２で判断できる。
【００４１】
したがって、本キャパシティブデータカード１及びデータ読取装置２によれば、ペンタイプのデータ列の読み取り方法などによって、データ読取装置２を固定してキャパシティブデータカード１を移動させながらデータ列を読み取ることができ、キャパシティブデータカード１とデータ読取装置２との位置関係を固定する必要がなく、キャパシティブデータカード１とデータ読取装置２との位置関係を固定させるような別個の装置が必要ない。これによって、磁気カードのようにカードをスライドさせてデータ列を読み取る装置であってもキャパシティブデータカード１を利用できるために、キャパシティブデータカード１の応用範囲が広がり、さらには、磁気データとキャパシティブデータの双方を記録したカードであっても一度の読み取り動作によって、双方のデータを読み取る装置を実現できる。
【００４２】
また、キャパシティブデータをカードではなく、シールに形成した場合であって、当該シールの貼り付け向きが斜めなどになっていても、ペンタイプのデータ読取装置２を斜めに走査すればキャパシティブデータを読み取ることができ、シールが斜めになっていたことによってキャパシティブデータの読みとりが困難となることはない。
【００４３】
更に、広く普及している表示式のバーコードとは異なり、キャパシティブデータとしてデータ列を読み取ることができるので、光によってデータ列がコピーされるなどの不正使用を回避できる。
【００４４】
更に、電極面２３及び非電極面２４の幅によって１ビットの０，１ではなく、２ビットのデータ列を表現する電極面２３及び非電極面２４からなるものとしたので、より多いデータ量をキャパシティブデータカード１に記録できる。
【００４５】
更に、スタートビット及びエンドビットを幅Ａで固定した幅の電極面２３及び非電極面２４で構成することによって、当該スタートビットの電極面２３及び非電極面２４を検知した電圧値の高低変化を基礎として、以降のデータ列を検知できる。また、スタートビットの電極面２３を検知した高い電圧値の継続時間及びスタートビットの非電極面２４を検知した低い電圧値の継続時間から、キャパシティブデータカード１に対するデータ読取装置２の走査速度を基礎を得て、以降のデータ列を検知できる。これによって、キャパシティブデータカード１のデータ列を高い精度で検知できる。
【００４６】
更に、上述の例では、電極面２３のみならず、非電極面２４上をデータ読取装置２が通過した時でも、低い電圧値の継続時間によってデータ列を検知するとしていたが、非電極面２４によって検知した低い電圧値を、高い電圧値の区切りとして利用しても良い。
【図面の簡単な説明】
【００４７】
【図１】本発明の産地証明確認書及び確認カード・出荷タグの適用例を示す図である。
【図２】本発明を適用したインターネット利用による産地偽造防止、免許証等の各種証明書偽造使用防止システムの業務例のフロー図である。
【図３】本発明を適用したインターネット利用による産地偽造防止、免許証等の各種証明書偽造使用防止システム例である。
【図４】本発明に用いられるキャパシティブデータカード及びデータ読取装置の利用方法を説明する斜視図である。
【図５】同キャパシティブデータカードの平面図である。
【図６】同キャパシティブデータカードの電極形成パターンを説明する平面図である。
【図７】同キャパシティブデータカード及びデータ読取装置によって形成する回路図である。
【図８】同キャパシティブデータカードに記録されたデータ列をデータ読取装置で読み取る動作を説明するための時間と電圧値の変化との関係を示す図である。
【符号の説明】
【００４８】
１  キャパシティブデータカード
２  データ読取装置
１０  ＩＤコード記録部
２１  ＲＦコモン電極
２２  Ｇｒｏｕｎｄコモン電極
２３  電極面
２４  非電極面
３１ａ，３１ｂ  電極センサー部
３２  電源
【図１】
2010108256.tif 000003
【図２】
2010108256.tif 000004
【図３】
2010108256.tif 000005
【図４】
2010108256.tif 000006
【図５】
2010108256.tif 000007
【図６】
2010108256.tif 000008
【図７】
2010108256.tif 000009
【図８】
2010108256.tif 000010